(57)【要約】【課題】残像が低減された高品質の表示を得ることができる電気光学装置を提供する。【解決手段】一対の基板間に電気光学物質層を挟持してなり、複数の画素が配列された表示部と、前記表示部を駆動制御する制御部と、を備えた電気光学装置であって、前記制御部は、前記表示部を第１の表示状態から第２の表示状態に移行させる際に、前記第１の表示状態と前記第２の表示状態とで異なる階調となる前記画素を選択的に駆動することで、前記表示部における第１の画像成分の消去動作と第２の画像成分の表示動作とを行う差分駆動動作を実行し、前記第１の画像成分の消去動作は、前記第１の画像成分を構成する前記画素と、前記第１の画像成分に隣り合う位置で前記第１の画像成分を取り囲む複数の前記画素とを含む第１の画素群を駆動する拡張消去動作を含むことを特徴とする電気光学装置とした。【選択図】図６
2011232718.tif 000002
【特許請求の範囲】
【請求項１】
一対の基板間に電気光学物質層を挟持してなり、複数の画素が配列された表示部と、前記表示部を駆動制御する制御部と、を備えた電気光学装置であって、
前記制御部は、前記表示部を第１の表示状態から第２の表示状態に移行させる際に、前記第１の表示状態と前記第２の表示状態とで異なる階調となる前記画素を選択的に駆動することで、前記第１の表示状態における表示画像の一部である第１の画像成分の消去動作と、前記第２の表示状態における表示画像の一部である第２の画像成分の表示動作とを行う差分駆動動作を実行し、
前記第１の画像成分の消去動作は、前記第１の画像成分を構成する前記画素と、前記第１の画像成分に隣り合う位置で前記第１の画像成分を取り囲む複数の前記画素とを含む第１の画素群を駆動する拡張消去動作を含むことを特徴とする電気光学装置。
【請求項２】
前記拡張消去動作は、前記第１の画像成分を１画素分外側に拡張した領域の前記画素を駆動する動作であることを特徴とする請求項１に記載の電気光学装置。
【請求項３】
前記制御部は、前記第１の画像成分を構成する前記画素を選択的に駆動する選択消去動作を含む第１の差分駆動動作と、前記拡張消去動作を含む第２の差分駆動動作と、を実行することを特徴とする請求項１又は２に記載の電気光学装置。
【請求項４】
前記表示部に、互いに交差する方向に延びる複数の走査線及び複数のデータ線が形成され、前記複数の画素は、前記複数の走査線と前記複数のデータ線との交差に対応する位置に設けられており、
前記複数の走査線を逐次的に１回選択する期間を１フレームとした場合に、
前記制御部は、前記差分駆動動作を複数フレームにわたって実行し、一部の前記フレームにおける前記差分駆動動作では、前記拡張消去動作を実行する一方、他の一部の前記フレームにおける前記差分駆動動作では、前記第１の画像成分を構成する前記画素を選択的に駆動する選択消去動作を実行することを特徴とする請求項１又は２に記載の電気光学装置。
【請求項５】
前記制御部は、前記拡張消去動作において、前記第２の画像成分に属する前記画素を前記第１の画素群から除外することを特徴とする請求項１から４のいずれか１項に記載の電気光学装置。
【請求項６】
前記第２の表示状態において、前記表示部には、第１の階調で表示された前記画素と前記第１の階調と異なる第２の階調で表示された前記画素とが配置され、
前記第１の画像成分は、前記第２の表示状態において前記第１の階調で表示されるとともに、前記第１の表示状態において前記第１の階調以外の階調で表示される前記画素により構成され、
前記第２の画像成分は、前記第２の表示状態において前記第２の階調で表示されるとともに、前記第１の表示状態において前記第２の階調以外の階調で表示される前記画素により構成される
ことを特徴とする請求項１から５のいずれか１項に記載の電気光学装置。
【請求項７】
前記表示部は、記憶性表示素子を備えることを特徴とする請求項１から６のいずれか１項に記載の電気光学装置。
【請求項８】
一対の基板間に電気光学物質層を挟持してなり、複数の画素が配列された表示部を備えた電気光学装置の駆動方法であって、
前記表示部を第１の表示状態から第２の表示状態に移行させる表示更新ステップが、前記第１の表示状態と前記第２の表示状態とで異なる階調となる前記画素を選択的に駆動することで、前記第１の表示状態における表示画像の一部である第１の画像成分の消去動作と、前記第２の表示状態における表示画像の一部である第２の画像成分の表示動作とを行う差分駆動ステップを含んでおり、
前記第１の画像成分の消去動作は、前記第１の画像成分を構成する前記画素と、前記第１の画像成分に隣り合う位置で前記第１の画像成分を取り囲む複数の前記画素とを含む第１の画素群を駆動する拡張消去動作を含むことを特徴とする電気光学装置の駆動方法。
【請求項９】
前記第１の画像成分を構成する前記画素を選択的に駆動する選択消去動作を含む第１の差分駆動ステップと、前記拡張消去動作を含む第２の差分駆動ステップと、を有することを特徴とする請求項８に記載の電気光学装置の駆動方法。
【請求項１０】
前記表示部に、互いに交差する方向に延びる複数の走査線及び複数のデータ線が形成され、前記複数の画素は、前記複数の走査線と前記複数のデータ線との交差に対応する位置に設けられており、
前記複数の走査線を逐次的に１回選択する期間を１フレームとした場合に、
前記表示更新ステップにおいて、前記差分駆動ステップを複数フレームにわたって実行するとともに、一部の前記フレームにおける前記差分駆動ステップでは、前記拡張消去動作を実行する一方、他の一部の前記フレームにおける前記差分駆動ステップでは、前記第１の画像成分を構成する前記画素を選択的に駆動する選択消去動作を実行することを特徴とする請求項８に記載の電気光学装置の駆動方法。
【請求項１１】
前記拡張消去動作において、前記第２の画像成分に属する前記画素を前記第１の画素群から除外することを特徴とする請求項８から１０のいずれか１項に記載の電気光学装置の駆動方法。
【請求項１２】
一対の基板間に電気光学物質層を挟持してなり、複数の画素が配列された表示部を備えた電気光学装置の制御回路であって、
前記表示部を第１の表示状態から第２の表示状態に移行させる際に、前記第１の表示状態と前記第２の表示状態とで異なる階調となる前記画素を選択的に駆動することで、前記第１の表示状態における表示画像の一部である第１の画像成分の消去動作と、前記第２の表示状態における表示画像の一部である第２の画像成分の表示動作を行う差分駆動動作を実行し、
前記第１の画像成分の消去動作は、前記第１の画像成分を構成する前記画素と、前記第１の画像成分に隣り合う位置で前記第１の画像成分を取り囲む複数の前記画素とを含む第１の画素群を駆動する拡張消去動作を含むことを特徴とする制御回路。
【請求項１３】
前記第１の画像成分を構成する前記画素を選択的に駆動する選択消去動作を含む第１の差分駆動動作と、前記拡張消去動作を含む第２の差分駆動動作と、を実行することを特徴とする請求項１２に記載の制御回路。
【請求項１４】
前記拡張消去動作において、前記第２の画像成分に属する前記画素を前記第１の画素群から除外することを特徴とする請求項１２又は１３に記載の制御回路。
【請求項１５】
請求項１から７のいずれか１項に記載の電気光学装置を備えたことを特徴とする電子機器。
【発明の詳細な説明】
【技術分野】
【０００１】
本発明は、電気光学装置、電気光学装置の駆動方法、電気光学装置の制御回路、電子機器に関するものである。
【背景技術】
【０００２】
電気光学装置として、電気泳動素子や電子粉流素子などの記憶性表示素子を用いたものが知られている。この種の電気光学装置では、表示素子の記憶性を利用した駆動方法を用いることが可能であった。例えば特許文献１には、表示中の階調と次に表示すべき階調との差分に応じた期間だけ電気泳動素子に電圧を印加することにより、画面の初期化動作（全画素を同一階調とする動作）を行うことなく表示を更新する駆動方法が記載されていた。
【先行技術文献】
【特許文献】
【０００３】
【特許文献１】特許第３７５０５６５号公報
【発明の概要】
【発明が解決しようとする課題】
【０００４】
しかしながら、画面上の階調が変化する部分のみを駆動して表示を更新すると、駆動した部分の輪郭近傍に残像が発生するという問題があった。
【０００５】
本発明は、上記従来技術の問題点に鑑み成されたものであって、残像が低減された高品質の表示を得ることができる電気光学装置とその駆動方法、及び制御回路を提供することを目的の一つとする。
【課題を解決するための手段】
【０００６】
本発明の電気光学装置は、一対の基板間に電気光学物質層を挟持してなり、複数の画素が配列された表示部と、前記表示部を駆動制御する制御部と、を備えた電気光学装置であって、前記制御部は、前記表示部を第１の表示状態から第２の表示状態に移行させる際に、前記第１の表示状態と前記第２の表示状態とで異なる階調となる前記画素を選択的に駆動することで、前記第１の表示状態における表示画像の一部である第１の画像成分の消去動作と、前記第２の表示状態における表示画像の一部である第２の画像成分の表示動作とを行う差分駆動動作を実行し、前記第１の画像成分の消去動作は、前記第１の画像成分を構成する前記画素と、前記第１の画像成分に隣り合う位置で前記第１の画像成分を取り囲む複数の前記画素とを含む第１の画素群を駆動する拡張消去動作を含むことを特徴とする。
【０００７】
この構成によれば、差分駆動動作により画像成分の消去と表示を並行して行う電気光学装置において、消去対象である第１の画像成分とその少なくとも１画素外側までの領域に対して消去を行う拡張消去動作を実行するので、第１の画像成分の輪郭に沿った残像発生位置を含む領域に対して消去動作を実行することができる。その結果、残像が低減された高品質の表示を得ることができる。
【０００８】
前記拡張消去動作は、前記第１の画像成分を１画素分外側に拡張した領域の前記画素を駆動する動作であってもよい。
この構成によれば、第１の画像成分の輪郭線を挟んだ領域に対して消去を実行するので、残像発生位置に対して確実に消去動作を実行することができる。
【０００９】
前記制御部は、前記第１の画像成分を構成する前記画素を選択的に駆動する選択消去動作を含む第１の差分駆動動作と、前記拡張消去動作を含む第２の差分駆動動作と、を実行する構成としてもよい。
この構成によれば、第１の差分駆動動作と第２の差分駆動動作の実行時間をそれぞれ独立に設定することができるので、残像の消去に必要十分な実行時間（電気光学物質層の駆動時間）を設定することができ、確実に残像を消去することができる。特に、拡張消去動作を含む第２の差分駆動動作の実行時間を短くすることも可能であるため、第２の差分駆動動作の実行に伴う過書き込みや電流バランスの問題を回避しつつ残像を消去することができる。
【００１０】
前記表示部に、互いに交差する方向に延びる複数の走査線及び複数のデータ線が形成され、前記複数の画素は、前記複数の走査線と前記複数のデータ線との交差に対応する位置に設けられており、前記複数の走査線を逐次的に１回選択する期間を１フレームとした場合に、前記制御部は、前記差分駆動動作を複数フレームにわたって実行し、一部の前記フレームにおける前記差分駆動動作では、前記拡張消去動作を実行する一方、他の一部の前記フレームにおける前記差分駆動動作では、前記第１の画像成分を構成する前記画素を選択的に駆動する選択消去動作を実行する構成としてもよい。
この構成によれば、フレーム数によって残像の消去度合いと電気光学物質層への負荷の程度を制御することができる。
【００１１】
前記制御部は、前記拡張消去動作において、前記第２の画像成分に属する前記画素を前記第１の画素群から除外する構成とすることもできる。
この構成によれば、拡張消去動作に起因して第２の画像成分の一部が表示されなくなってしまうのを防止することができる。
【００１２】
上記各態様は、より具体的に、前記第２の表示状態において、前記表示部には、第１の階調で表示された前記画素と前記第１の階調と異なる第２の階調で表示された前記画素とが配置され、前記第１の画像成分は、前記第２の表示状態において前記第１の階調で表示されるとともに、前記第１の表示状態において前記第１の階調以外の階調で表示される前記画素により構成され、前記第２の画像成分は、前記第２の表示状態において前記第２の階調で表示されるとともに、前記第１の表示状態において前記第２の階調以外の階調で表示される前記画素により構成されるものとすることができる。
【００１３】
前記表示部は、記憶性表示素子を備える構成としてもよい。これにより、残像の生じやすい記憶性表示素子においても高画質表示を得ることができる。
【００１４】
本発明の電気光学装置の駆動方法は、一対の基板間に電気光学物質層を挟持してなり、複数の画素が配列された表示部を備えた電気光学装置の駆動方法であって、前記表示部を第１の表示状態から第２の表示状態に移行させる表示更新ステップが、前記第１の表示状態と前記第２の表示状態とで異なる階調となる前記画素を選択的に駆動することで、前記第１の表示状態における表示画像の一部である第１の画像成分の消去動作と、前記第２の表示状態における表示画像の一部である第２の画像成分の表示動作とを行う差分駆動ステップを含んでおり、前記第１の画像成分の消去動作は、前記第１の画像成分を構成する前記画素と、前記第１の画像成分に隣り合う位置で前記第１の画像成分を取り囲む複数の前記画素とを含む第１の画素群を駆動する拡張消去動作を含むことを特徴とする。
【００１５】
この駆動方法によれば、差分駆動ステップにより画像成分の消去と表示を並行して行う際に、消去対象である第１の画像成分とその少なくとも１画素外側までの領域に対して消去を行う拡張消去動作を実行するので、第１の画像成分の輪郭に沿った残像発生位置を含む領域に対して消去動作を実行することができる。その結果、残像が低減された高品質の表示を得ることができる。
【００１６】
前記第１の画像成分を構成する前記画素を選択的に駆動する選択消去動作を含む第１の差分駆動ステップと、前記拡張消去動作を含む第２の差分駆動ステップと、を有する駆動方法とすることもできる。
この駆動方法によれば、第１の差分駆動ステップと第２の差分駆動ステップの実行時間をそれぞれ独立に設定することができるので、残像の消去に必要十分な実行時間（電気光学物質層の駆動時間）を設定することができ、確実に残像を消去することができる。特に、拡張消去動作を含む第２の差分駆動ステップの実行時間を短くすることも可能であるため、第２の差分駆動ステップの実行に伴う過書き込みや電流バランスの問題を回避しつつ残像を消去することができる。
【００１７】
前記表示部に、互いに交差する方向に延びる複数の走査線及び複数のデータ線が形成され、前記複数の画素は、前記複数の走査線と前記複数のデータ線との交差に対応する位置に設けられており、前記複数の走査線を逐次的に１回選択する期間を１フレームとした場合に、前記表示更新ステップにおいて、前記差分駆動ステップを複数フレームにわたって実行するとともに、一部の前記フレームにおける前記差分駆動ステップでは、前記拡張消去動作を実行する一方、他の一部の前記フレームにおける前記差分駆動ステップでは、前記第１の画像成分を構成する前記画素を選択的に駆動する選択消去動作を実行する駆動方法とすることもできる。
この駆動方法によれば、フレーム数によって残像の消去度合いと電気光学物質層への負荷の程度を制御することができる。
【００１８】
前記拡張消去動作において、前記第２の画像成分に属する前記画素を前記第１の画素群から除外する駆動方法とすることもできる。
この駆動方法によれば、拡張消去動作に起因して第２の画像成分の一部が表示されなくなってしまうのを防止することができる。
【００１９】
本発明の電気光学装置の制御回路は、一対の基板間に電気光学物質層を挟持してなり、複数の画素が配列された表示部を備えた電気光学装置の制御回路であって、前記表示部を第１の表示状態から第２の表示状態に移行させる際に、前記第１の表示状態と前記第２の表示状態とで異なる階調となる前記画素を選択的に駆動することで、前記第１の表示状態における表示画像の一部である第１の画像成分の消去動作と、前記第２の表示状態における表示画像の一部である第２の画像成分の表示動作を行う差分駆動動作を実行し、前記第１の画像成分の消去動作は、前記第１の画像成分を構成する前記画素と、前記第１の画像成分に隣り合う位置で前記第１の画像成分を取り囲む複数の前記画素とを含む第１の画素群を駆動する拡張消去動作を含むことを特徴とする。
【００２０】
この構成によれば、差分駆動動作により画像成分の消去と表示を並行して行う場合に、消去対象である第１の画像成分とその少なくとも１画素外側までの領域に対して消去を行う拡張消去動作を実行するので、第１の画像成分の輪郭に沿った残像発生位置を含む領域に対して消去動作を実行することができる。その結果、電気光学装置において残像が低減された高品質の表示を得ることができる。
【００２１】
前記第１の画像成分を構成する前記画素を選択的に駆動する選択消去動作を含む第１の差分駆動動作と、前記拡張消去動作を含む第２の差分駆動動作と、を実行する構成としてもよい。
この構成によれば、第１の差分駆動動作と第２の差分駆動動作の実行時間をそれぞれ独立に設定することができるので、残像の消去に必要十分な実行時間（電気光学物質層の駆動時間）を設定することができ、確実に残像を消去することができる。特に、拡張消去動作を含む第２の差分駆動動作の実行時間を短くすることも可能であるため、第２の差分駆動動作の実行に伴う過書き込みや電流バランスの問題を回避しつつ残像を消去することができる。
【００２２】
前記表示部に、互いに交差する方向に延びる複数の走査線及び複数のデータ線が形成され、前記複数の画素は、前記複数の走査線と前記複数のデータ線との交差に対応する位置に設けられている前記電気光学装置に適用される制御回路であって、前記複数の走査線を逐次的に１回選択する期間を１フレームとした場合に、前記差分駆動動作を複数フレームにわたって実行するとともに、一部の前記フレームにおける前記差分駆動動作では、前記拡張消去動作を実行し、他の一部の前記フレームにおける差分駆動動作では、前記第１の画像成分を構成する前記画素を選択的に駆動する選択消去動作を実行する構成としてもよい。
この構成によれば、フレーム数によって残像の消去度合いと電気光学物質層への負荷の程度を制御することができる。
【００２３】
前記拡張消去動作において、前記第２の画像成分に属する前記画素を前記第１の画素群から除外する構成としてもよい。
この構成によれば、拡張消去動作に起因して第２の画像成分の一部が表示されなくなってしまうのを防止することができる。
【００２４】
本発明の電子機器は、先に記載の電気光学装置を備えたことを特徴とする。
この構成によれば、残像が低減された高品質の表示が得られる表示手段を備えた電子機器を提供することができる。
【図面の簡単な説明】
【００２５】
【図１】第１実施形態に係る電気光学装置の機能ブロック図。
【図２】電気光学パネルの回路構成を示す図。
【図３】電気泳動素子の動作説明図。
【図４】画像信号生成部の詳細な構成を示す機能ブロック図。
【図５】膨張処理回路に関する説明図。
【図６】第１実施形態に係る電気光学装置の駆動方法の説明図。
【図７】比較のために示す他の駆動方法の説明図。
【図８】第２実施形態に係る画像信号生成部の機能ブロック図。
【図９】第２実施形態に係る電気光学装置の駆動方法の説明図。
【図１０】第３実施形態に係る画像信号生成部の機能ブロック図。
【図１１】第３実施形態に係る駆動方法を示すフローチャート。
【図１２】電子機器の一例を示す図。
【図１３】電子機器の一例を示す図。
【図１４】電子機器の一例を示す図。
【発明を実施するための形態】
【００２６】
以下、図面を用いて本発明の実施の形態について説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００２７】
（第１の実施形態）
図１は、本発明の第１の実施形態に係る電気光学装置の機能ブロック図である。図２は、電気光学パネルの回路構成を示す図である。図３は、電気泳動素子の動作説明図である。
【００２８】
電気光学装置１００は、図１に示すように、ＣＰＵ（Central Processing Unit；制御部）１０２、表示部制御装置１１０、記憶装置１１１、電気光学パネル１１２、プログラムメモリ１１３、ワークメモリ１１４、ＶＹ電源１６１、ＶＸ電源１６２、及び共通電源１６３を備えている。
【００２９】
ＣＰＵ１０２に、表示部制御装置１１０と、プログラムメモリ１１３と、ワークメモリ１１４とが接続されている。表示部制御装置１１０には、記憶装置１１１と、電気光学パネル１１２と、共通電源１６３とが接続されている。電気光学パネル１１２には、ＶＹ電源１６１と、ＶＸ電源１６２と、共通電源１６３とが接続されている。
【００３０】
ＣＰＵ１０２は、プログラムメモリ１１３に格納された基本制御プログラムやアプリケーションプログラム等の各種プログラム及びデータを読み込み、それら各種プログラム及びデータをワークメモリ１１４内に設けられるワークエリアに展開実行して、電気光学装置１００が備える各部の制御を実行する。
例えば、図示略の上位装置から供給される画像データを電気光学パネル１１２に表示させる場合に、ＣＰＵ１０２は、上位装置から入力される制御信号に基づいて電気光学パネル１１２を制御する命令を生成し、画像データとともに表示部制御装置１１０に出力する。
【００３１】
プログラムメモリ１１３は各種プログラムを保持したＲＯＭ（Read Only Memory）等であり、ワークメモリ１１４はＣＰＵ１０２の作業領域を構成するＲＡＭ（Random Access Memory）である。プログラムメモリ１１３及びワークメモリ１１４は、記憶装置１１１に含まれていてもよい。あるいは、ＣＰＵ１０２にプログラムメモリ１１３やワークメモリ１１４が内蔵されている構成としてもよい。
【００３２】
表示部制御装置１１０（制御部、制御回路）は、全体制御部１４０と、画像データ書込制御部１４１と、タイミング信号生成部１４２と、共通電源制御部１４３と、記憶装置制御部１４４と、画像データ読出制御部１４５と、画像信号生成部１４６と、選択信号生成部１４７とを有する。
全体制御部１４０には、画像データ書込制御部１４１と、タイミング信号生成部１４２と、共通電源制御部１４３とが接続されている。画像データ書込制御部１４１には記憶装置制御部１４４が接続されている。タイミング信号生成部１４２には画像データ読出制御部１４５と画像信号生成部１４６と選択信号生成部１４７とが接続されている。共通電源制御部１４３には共通電源１６３が接続されている。
表示部制御装置１１０は、全体制御部１４０においてＣＰＵ１０２と接続され、画像信号生成部１４６及び選択信号生成部１４７において電気光学パネル１１２と接続され、記憶装置制御部１４４において記憶装置１１１と接続されている。
【００３３】
記憶装置１１１は、いずれもＲＡＭからなる前画像保持部１２０と次画像保持部１２１とを備えている。前画像保持部１２０は電気光学パネル１１２に表示させた後の画像データ（現在表示されている画像に対応する画像データ）を保持する記憶領域であり、次画像保持部１２１は電気光学パネル１１２にこれから表示させる画像データ（更新画像に対応する画像データ）を保持する記憶領域である。
前画像保持部１２０及び次画像保持部１２１はいずれも表示部制御装置１１０の記憶装置制御部１４４と接続されており、表示部制御装置１１０は、記憶装置制御部１４４を介して記憶装置１１１に対する画像データの読み書きを実行する。
【００３４】
電気光学パネル１１２は、電気泳動素子やコレステリック液晶素子などの記憶性表示素子を備えた表示部１５０と、表示部１５０に接続された走査線駆動回路１５１及びデータ線駆動回路１５２と、を備えている。表示部１５０には共通電源１６３が接続されている。走査線駆動回路１５１には、ＶＹ電源１６１と、表示部制御装置１１０の選択信号生成部１４７とが接続されている。データ線駆動回路１５２には、ＶＸ電源１６２と、表示部制御装置１１０の画像信号生成部１４６が接続されている。
【００３５】
図２に示すように、電気光学パネル１１２の表示部１５０には、図示のＸ軸方向に延在する複数の走査線Ｇ（Ｇ１、Ｇ２、…、Ｇｍ）と、Ｙ軸方向（Ｘ軸と直交する方向）に延在する複数のデータ線Ｓ（Ｓ１、Ｓ２、…、Ｓｎ）とが形成されている。走査線Ｇとデータ線Ｓとの交差部に対応して画素１０が形成されている。画素１０は、Ｙ軸方向に沿ってｍ個、Ｘ軸方向に沿ってｎ個のマトリクス状に配列されており、各々の画素１０に走査線Ｇとデータ線Ｓとが接続されている。また表示部１５０には、共通電源１６３から延びる共通電極配線ＣＯＭと容量線Ｃとが形成されている。
【００３６】
画素１０には、画素スイッチング素子としての選択トランジスタ２１と、保持容量２２と、画素電極２４と、共通電極２５と、電気光学物質層２６とが形成されている。
選択トランジスタ２１はＮ−ＭＯＳ（Negative-channel Metal Oxide Semiconductor）ＴＦＴで構成されている。選択トランジスタ２１のゲートに走査線Ｇが接続され、ソースにデータ線Ｓが接続され、ドレインには保持容量２２の一方の電極と画素電極２４とが接続されている。
【００３７】
保持容量２２は、誘電体膜を介して対向配置された一対の電極からなる。保持容量２２の一方の電極は選択トランジスタ２１のドレインに接続され、他方の電極は容量線Ｃに接続されている。保持容量２２は選択トランジスタ２１を介して書き込まれた画像信号を一定期間保持し、画素電極２４の電位を維持する機能を奏する。
【００３８】
電気光学物質層２６は、電気泳動素子やコレステリック液晶素子、電子粉流素子などからなる。例えば電気泳動素子としては、電気泳動粒子と分散媒とが封入されたマイクロカプセルを配列したものや、隔壁と基板により区画された空間に電気泳動粒子と分散媒とを封入したものが挙げられる。
【００３９】
走査線駆動回路１５１は、表示部１５０に形成された走査線Ｇと接続されており、各々の走査線Ｇを介してそれぞれ対応する行の画素１０に接続されている。走査線駆動回路１５１は、図１に示したタイミング信号生成部１４２から選択信号生成部１４７を介して供給されるタイミング信号に基づいて、走査線Ｇ１、Ｇ２、…、Ｇｍの各々に選択信号をパルス状に順次供給し、走査線Ｇの一本一本を逐次的に選択状態にする。選択状態とは、走査線Ｇに接続される選択トランジスタ２１がオンしている状態である。
【００４０】
データ線駆動回路１５２は、表示部１５０に形成されたデータ線Ｓと接続されており、各々のデータ線Ｓを介してそれぞれ対応する列の画素１０に接続されている。データ線駆動回路１５２は、タイミング信号生成部１４２から画像信号生成部１４６を介して供給されるタイミング信号に基づいて、データ線Ｓ１、Ｓ２、…、Ｓｎに画像信号生成部１４６で生成された画像信号を供給する。
【００４１】
なお、後述する動作説明では、画像信号はハイレベル電位ＶＨ（例えば１５Ｖ）又はローレベル電位ＶＬ（例えば０Ｖや−１５Ｖ）の２値的な電位をとるものとしている。また本実施形態では、黒色が表示されるべき画素１０に対して画素データ「０」に対応するハイレベルの画像信号（電位ＶＨ）が供給され、白色が表示されるべき画素１０に対して画素データ「１」に対応するローレベルの画像信号（電位ＶＬ）が供給されるものとする。
【００４２】
また、共通電極２５には、共通電源１６３から電位Ｖcomが供給され、容量線Ｃには、共通電源１６３から電位Ｖｓｓが供給される。
ただし後述する動作説明では、説明の簡単のために、共通電極２５の電位Ｖcomは、ローレベル電位ＶＬ（例えば０Ｖや−１５Ｖ）、又はハイレベル電位ＶＨ（例えば１５Ｖ）の２値的な電位をとるものとする。また容量線Ｃの電位Ｖｓｓは、基準電位ＧＮＤ（例えば０Ｖ）に固定されているものとする。
【００４３】
上述したように、本実施形態の電気光学物質層２６には種々の構成を適用することができるが、以下の説明では、発明を理解しやすくするために電気光学物質層２６が電気泳動素子であるとして説明する。
図３は電気泳動素子の動作説明図であり、図３（ａ）は画素を白表示する場合、図３（ｂ）は画素を黒表示する場合をそれぞれ示している。
【００４４】
図３（ａ）に示す白表示の場合には、共通電極２５が相対的に高電位、画素電極２４が相対的に低電位に保持される。これにより、負に帯電した白色粒子２７が共通電極２５に引き寄せられる一方、正に帯電した黒色粒子２８が画素電極２４に引き寄せられる。その結果、表示面側となる共通電極２５側からこの画素を見ると、白色（Ｗ）が認識される。
図３（ｂ）に示す黒表示の場合、共通電極２５が相対的に低電位、画素電極２４が相対的に高電位に保持される。これにより、正に帯電した黒色粒子２８が共通電極２５に引き寄せられる一方、負に帯電した白色粒子２７が画素電極２４に引き寄せられる。その結果、共通電極２５側からこの画素を見ると黒色（Ｂ）が認識される。
【００４５】
なお、本実施形態では走査線駆動回路１５１とデータ線駆動回路１５２とを備えたアクティブマトリクス方式の電気光学パネル１１２を示したが、電気光学パネル１１２としては、パッシブマトリクス方式やセグメント駆動方式の電気光学パネルであってもよい。また、他のアクティブマトリクス方式を採用してもよい。例えば、画素毎に選択トランジスタと駆動トランジスタと保持容量とを備え、選択トランジスタのドレイン及び保持容量の一方の電極が駆動トランジスタのゲートに接続されている２Ｔ１Ｃ（２トランジスタ１キャパシタ）方式を採用してもよい。あるいは、画素毎に、選択トランジスタのドレインに接続されたラッチ回路を備えたＳＲＡＭ方式を採用してもよく、ラッチ回路の出力により画素電極と制御線との接続を制御する方式であってもよい。いずれの方式においても、走査線により選択トランジスタが選択された際に、データ線からの画像信号が選択トランジスタを介して画素回路内に供給され、画素電極は、当該画像信号に応じた電位となる。
これらの方式であっても、表示部１５０の一部の画素１０を選択的に駆動することができ、後述する駆動方法を適用して画像表示を行うことができる。
【００４６】
次に、図４は、図１に示した画像信号生成部１４６（画像信号生成回路）の詳細な構成を示す機能ブロック図である。
画像信号生成部１４６は、１ライン遅延回路１８０、１８１、１８２と、画素データ保持部１８３と、膨張処理回路１８４と、データ保持回路２９０、２９１と、エンコーダ回路１８９と、を備えている。
【００４７】
画像信号生成部１４６には、画像データ読出制御部１４５から「次画像画素データ」と「前画像画素データ」が入力される。「次画像画素データ」は、図１に示した次画像保持部１２１に保持された画像データ（次画像データ）を構成する画素データである。「前画像画素データ」は、前画像保持部１２０に保持された画像データ（前画像データ）を構成する画素データである。
画像データ読出制御部１４５は、記憶装置制御部１４４を介して次画像保持部１２１から次画像データを読み出すとともに、前画像保持部１２０から前画像データを読み出す。そして、これら次画像データと前画像データの対応する画素データ（同一アドレスの画素データ）を、それぞれ端子Ｔ１、Ｔ２に対して逐次的に供給する。
【００４８】
「次画像画素データ」が供給される端子Ｔ１は、配線１７１を介して１ライン遅延回路１８０の入力端子に接続されている。１ライン遅延回路１８０の出力端子は、Ｄフリップフロップであるデータ保持回路２９０のＤ入力に接続されている。データ保持回路２９０のＱ出力は、Ｄフリップフロップであるデータ保持回路２９１のＤ入力に接続されている。データ保持回路２９１のＱ出力は、エンコーダ回路１８９の入力端子（入力１）に接続されている。
【００４９】
一方、「前画像画素データ」が供給される端子Ｔ２は、配線１７４を介して、画素データ保持部１８３（データ保持回路１９０のＤ入力）、及び１ライン遅延回路１８１に接続されている。１ライン遅延回路１８１の出力端子は、配線１７５を介して画素データ保持部１８３（データ保持回路１９３のＤ入力）、及び１ライン遅延回路１８２の入力端子に接続されている。さらに、１ライン遅延回路１８２の出力端子は、配線１７６を介して画素データ保持部１８３（データ保持回路１９６のＤ入力）に接続されている。画素データ保持部１８３の９個の出力端子は、膨張処理回路１８４に接続されている。膨張処理回路１８４の出力端子はエンコーダ回路１８９の入力端子（入力２）に接続されている。
【００５０】
１ライン遅延回路１８０、１８１、１８２は、入力端子を介して供給された画素データを、所定期間（走査線Ｇの選択周期；１水平期間）だけ保持した後、出力端子から出力する回路である。
【００５１】
画素データ保持部１８３は、３行３列のマトリクス状に配置された９個のデータ保持回路１９０〜１９８を備えている。各々のデータ保持回路１９０〜１９８は、本実施形態ではＤフリップフロップである。画素データ保持部１８３において、第１列に属するデータ保持回路１９０、１９３、１９６のＤ入力が画素データ保持部１８３の入力端子（３入力）であり、９個のデータ保持回路１９０〜１９８のそれぞれのＱ出力が画素データ保持部１８３の出力端子（９出力）である。
データ保持回路１９０〜１９８、２９０、２９１は、Ｄフリップフロップに限定されず、画素データを一時的に保持できる他の回路を用いてもよい。
【００５２】
エンコーダ回路１８９は２入力１出力であり、２つの入力端子にそれぞれ入力される１ビットの信号（画素データ）の組み合わせに応じた２ビットの制御信号（画像信号）を生成し、データ線駆動回路１５２に出力する。
【００５３】
具体的な動作は以下のようになる。
まず、端子Ｔ１に入力された「次画像画素データ」は、所定のタイミングで配線１７１を介して１ライン遅延回路１８０に入力され保持される。その後、走査線Ｇの選択周期に相当する期間が経過したタイミングで、１ライン遅延回路１８０から配線１７２を介してデータ保持回路２９０のＤ入力に入力される。その後、２クロック経過したタイミングでデータ保持回路２９１から、画素データｄ１として出力され、エンコーダ回路１８９の入力１に入力される。
【００５４】
一方、端子Ｔ２に入力された「前画像画素データ」は、まず、所定のタイミングで、配線１７４を介して画素データ保持部１８３のデータ保持回路１９０に直接入力されるとともに、１ライン遅延回路１８１に入力され保持される。その後、走査線Ｇの選択周期に相当する期間が経過したタイミングで、１ライン遅延回路１８１から配線１７５を介して画素データ保持部１８３のデータ保持回路１９３に入力されるとともに、１ライン遅延回路１８２に入力され保持される。さらにその後、走査線Ｇの選択周期に相当する期間が経過したタイミングで、１ライン遅延回路１８２から配線１７６を介して画素データ保持部１８３のデータ保持回路１９６に入力される。これにより、画素データ保持部１８３の３つの入力端子に、前画像データの同一列に属する連続した３画素のデータが同時に入力される。
【００５５】
本実施形態の場合、端子Ｔ１と端子Ｔ２に同期して画素データが入力されるため、１ライン遅延回路１８０からデータ保持回路２９０に次画像画素データが入力されるタイミングで、１ライン遅延回路１８１からデータ保持回路１９３に、上記の次画像画素データに対応する位置の前画像画素データが入力される。
【００５６】
画素データ保持部１８３の各行のデータ保持回路は、行内で直列に接続されている。すなわち、第１列のデータ保持回路１９０のＱ出力と第２列のデータ保持回路１９１のＤ入力とが接続され、第２列のデータ保持回路１９１のＱ出力と第３列のデータ保持回路１９２のＤ入力とが接続されている。同様に、データ保持回路１９３のＱ出力とデータ保持回路１９４のＤ入力とが接続され、データ保持回路１９４のＱ出力とデータ保持回路１９５のＤ入力とが接続されている。またデータ保持回路１９６のＱ出力とデータ保持回路１９７のＤ入力とが接続され、データ保持回路１９７のＱ出力とデータ保持回路１９８のＤ入力とが接続されている。
【００５７】
上記の構成により、データ保持回路１９０、１９３、１９６に入力された画素データは、次のクロックに同期して１段後のデータ保持回路１９１、１９４、１９７に転送され、その次のクロックに同期して、さらに１段後のデータ保持回路１９２、１９５、１９８に転送される。このようにして、画素データ保持部１８３には、前画像データ中の３×３のマトリクス状に配置された９画素に対応する画素データが順次保持される。
【００５８】
なお、画素データ保持部１８３において、データ保持回路１９３のＱ出力から出力される画素データｄ３が、データ保持回路２９１から出力される画素データｄ１と同一アドレスの前画像画素データである。画素データｄ２は、画素データｄ３の１行後の画素データであり、画素データｄ４は画素データｄ３の１行前の画素データである。
【００５９】
画素データ保持部１８３に保持された９個の画素データは、画素データ保持部１８３の出力端子（９個のデータ保持回路１９０〜１９６のＱ出力）に接続された膨張処理回路１８４に出力される。
膨張処理回路１８４は、画素データ保持部１８３から出力される９個の画素データの入力を受け、これらの画素データを用いた論理積演算の結果を出力する回路である。
【００６０】
ここで図５（ａ）は、膨張処理回路１８４で用いる演算式の一例を示す図である。図５（ａ）に示す画素データＰ０〜Ｐ８は、データ保持回路１９０〜１９８の保持データに対応する。
膨張処理回路１８４は、中央の画素データＰ４（データ保持回路１９４から出力される画素データｄ３）を処理対象の画素データとし、その周囲の画素データＰ１（画素データｄ２）、Ｐ３、Ｐ５、Ｐ７（画素データｄ４）と、図５（ａ）に例示する演算式とを用いて演算を行う。
【００６１】
膨張処理回路１８４による膨張処理では、処理対象の画素データＰ４として、画素データＰ４とそれに隣り合う画素データＰ１、Ｐ３、Ｐ５、Ｐ７の論理積（ＡＮＤ）の演算結果が出力される。すなわち、Ｐ１、Ｐ３、Ｐ４、Ｐ５、Ｐ７が全て「１」である場合にのみ画素データＰ４として「１」を出力し、それ以外の場合には画素データＰ４として「０」を出力する。言い換えれば、Ｐ１、Ｐ３、Ｐ４、Ｐ５、Ｐ７のうち１つでも「０」（黒表示に対応する画像データ）であれば、画素データＰ４として「０」が出力されることになる。
この処理によれば、元が白表示である画素（画素データ「１」）のうち、黒表示の画像成分と隣り合って配置された画素の画素データが「０」に変更される。したがって、１フレーム分の画像データを膨張処理回路１８４に通すことで、元画像データに対して黒表示の画像成分の輪郭が外側に膨張された画像データを得ることができる。
【００６２】
なお、上記説明では、画素データＰ４の上下左右に隣り合う画素データＰ１、Ｐ３、Ｐ５、Ｐ７を用いることとしたが、これらに加えて、画素データＰ４と斜め方向で隣り合う画素データＰ０、Ｐ２、Ｐ６、Ｐ８を演算式に加えてもよい。この場合には、膨張処理回路１８４は、処理対象の画素データＰ４を取り囲む８つの画素データＰ０〜Ｐ３、Ｐ５〜Ｐ８のいずれか１つでも「０」（黒表示）であれば、処理対象の画素データＰ４として「０」を出力し、それ以外の場合には「１」を出力する。
【００６３】
あるいは、処理対象の画素データＰ４の上下左右に配置された画素データＰ１、Ｐ３、Ｐ５、Ｐ７に代えて、斜め方向に配置された画素データＰ０、Ｐ２、Ｐ６、Ｐ８のみを用いて演算を行ってもよい。また場合によっては、処理対象の画素データＰ４に対して特定の方向に配置された画素データを用いて演算を行ってもよい。例えば、画素データＰ４の左右に配置された画素データＰ３、Ｐ５のみを用いて演算を行ってもよく、上下に配置された画素データＰ１、Ｐ７のみを用いて演算を行ってもよい。
【００６４】
ここで図５（ｂ）は、膨張処理回路１８４において生成される画像を示す説明図である。
まず、図５（ｂ）左側に示す中央に黒色の矩形が描かれた画像は、直前に電気光学パネル１１２に表示された前画像データＤ０を例示したものである。図５（ｂ）に示す前画像データＤ０を構成する画素データが、端子Ｔ２に対して逐次的に供給される。
そして、図５（ｂ）右側に示す画像が、膨張処理回路１８４から出力される画素データにより構成される画像データＤ１である。このように、膨張処理回路１８４を通すことで、画像データＤ０における黒色の矩形を各辺から１画素分外側に拡張した画像成分を有する画像データＤ１が得られる。
【００６５】
膨張処理回路１８４から出力される画素データＰ４がエンコーダ回路１８９の入力２に供給され、データ保持回路２９１から出力される画素データｄ１がエンコーダ回路１８９の入力１に供給される。エンコーダ回路１８９は、入力１、入力２の値の組み合わせに応じた制御信号を出力するように定義される。表１に、エンコーダ回路１８９の定義の一例を示す。
【００６６】
【表１】
2011232718.tif 000003
【００６７】
表１に示すように、エンコーダ回路１８９は、次画像画素データの値（入力１）と前画像画素データの値（入力２）の組み合わせに応じて３種類の値の画像信号を出力する。エンコーダ回路１８９から出力された画像信号は、データ線駆動回路１５２に入力され、データ線駆動回路１５２は画像信号の値に応じて異なる電位（ＶＨ、ＶＬ、ＧＮＤ）を対応するデータ線Ｓに入力する。
これにより、表に示すように、表示部１５０において、画素１０を黒表示から白表示へ移行させる動作と、白表示から黒表示に移行させる動作とを同時に実行することが可能になる。
【００６８】
［駆動方法］
次に、電気光学装置１００の駆動方法について、図６及び図７を参照しつつ説明する。
図６は、第１実施形態の駆動方法における表示部の状態遷移と使用される画像データを示す説明図である。図７は、比較のために示す他の駆動方法（以下、対照駆動方法と称する）における表示部の状態遷移と使用画像データとを示す説明図である。
【００６９】
図６（ａ）、（ｂ）は、表示部１５０の表示状態を示す図である。
本実施形態の駆動方法は、表示部１５０を、図６（ａ）に示す図形Ｒ１が表示された状態（第１の表示状態）から、図６（ｂ）に示す図形Ｒ２が表示された状態（第２の表示状態）へ移行させる際に実行される差分駆動ステップＳ１０１を含む。
図６（ｃ）〜（ｆ）は、図６（ａ）から図６（ｂ）へ表示状態を移行させる際に使用される画像データ及び画像信号を示す図であり、図６（ｃ）は前画像データ、図６（ｄ）は次画像データ、図６（ｅ）は膨張画像データ、図６（ｆ）は画像信号マップである。
【００７０】
本実施形態の差分駆動ステップＳ１０１では、図６（ａ）に示す図形Ｒ１の消去動作と，図６（ｂ）に示す図形Ｒ２の表示動作を同時に実行する。より詳細には、図形Ｒ１のうち図示左側の画像成分Ｒ１ａと右側の画像成分Ｒ１ｂとを消去する動作（画素１０を黒表示から白表示に移行させる動作）と、図形Ｒ２のうち図示上側の画像成分Ｒ２ａと下側の画像成分Ｒ２ｂとを表示する動作（画素１０を白表示から黒表示に移行させる動作）を同時に実行し、画像成分Ｒ１ａ、Ｒ１ｂ、Ｒ２ａ、Ｒ２ｂ以外の領域の画素１０の表示は変化させないようにする。
以下、差分駆動ステップＳ１０１の実行に関わる動作について詳細に説明する。
【００７１】
本実施形態の駆動方法により電気光学パネル１１２の表示を更新する場合に、まず、ＣＰＵ１０２は、表示部制御装置１１０に対して、次に表示させる画像データ（次画像データ）を含むパネル駆動要求を送信する。
パネル駆動要求を受信した表示部制御装置１１０の全体制御部１４０は、受信した次画像データ（図６（ｄ）に示す次画像データＤ１）を画像データ書込制御部１４１に出力する。画像データ書込制御部１４１は、受信した画像データを、記憶装置制御部１４４を介して記憶装置１１１の次画像保持部１２１に記憶させる。このとき、前画像保持部１２０には、図６（ｃ）に対応する前画像データＤ０が保持されている。その後、全体制御部１４０によって、予め設定された駆動シーケンスである差分駆動ステップＳ１０１が実行される。
【００７２】
全体制御部１４０は、パネル駆動要求に基づいて、差分駆動ステップＳ１０１を実行するための命令を、タイミング信号生成部１４２及び共通電源制御部１４３に出力する。
本実施形態の差分駆動ステップＳ１０１では、図６（ｆ）に示した画像信号マップに従って画素１０に画像信号を入力する差分駆動動作が３フレームにわたって実行される。すなわち、電気光学パネル１１２の表示部１５０に対して、前画像の一部を反転消去しながら次画像の一部を表示させる動作が、３回繰り返して実行される。
【００７３】
タイミング信号生成部１４２は、画像データ読出制御部１４５に対して、差分駆動ステップＳ１０１で用いる前画像データＤ０を記憶装置１１１の前画像保持部１２０から読み出させる命令と、次画像データＤ１を次画像保持部１２１から読み出させる命令を出力する。画像データ読出制御部１４５は、記憶装置制御部１４４を介して前画像保持部１２０及び次画像保持部１２１から前画像データＤ０及び次画像データＤ１を取得し、取得した前画像データＤ０及び次画像データＤ１を、それぞれ１画素分ずつ画像信号生成部１４６の端子Ｔ２、Ｔ１に同期出力する。
【００７４】
画像信号生成部１４６の端子Ｔ２に入力された前画像画素データ（画像データＤ０）は、膨張処理回路１８４により膨張処理を施されるので、膨張処理回路１８４からエンコーダ回路１８９の入力２に供給される画素データにより構成される画像データは、図６（ｅ）に示す画像データＤ０ａとなる。画像データＤ０ａでは、図６（ｃ）に示す前画像データＤ０における領域Ｂ０の四辺を１画素分だけ外側に拡張された領域Ｂ０ａが、黒色で示す画素データ「０」の領域となる。
【００７５】
上記の動作により、エンコーダ回路１８９の入力１には、図６（ｄ）に示す次画像データＤ１を構成する画素データが順次入力され、入力２には図６（ｅ）に示す画像データＤ０ａを構成する画素データが順次入力される。そして、エンコーダ回路１８９は、表１に示した定義に従って、入力１、２の値の組み合わせに応じた画像信号を出力する。図６（ｆ）は、エンコーダ回路１８９から出力される画像信号を、画素配列に対応させて示す画像信号マップＤＭ１である。画像信号マップＤＭ１において、白抜きの部分は画像信号［００］に対応し、黒塗りの部分は画像信号［１０］に対応し、斜線を付した部分は画像信号［０１］に対応する。
【００７６】
画像信号生成部１４６は、画像信号マップＤＭ１に従う画像信号をタイミング信号とともにデータ線駆動回路１５２に出力する。データ線駆動回路１５２は、画像信号の値に応じた電位をデータ線Ｓを介して画素１０に供給する。本実施形態の場合、データ線駆動回路１５２は、画像信号［０１］に対応する画素１０に対してローレベル電位ＶＬ（例えば−１５Ｖ）を出力し、画像信号［１０］に対応する画素１０に対してハイレベル電位ＶＨ（例えば１５Ｖ）を出力する。また、画像信号［００］に対応する画素１０に対して基準電位ＧＮＤ（例えば０Ｖ）を出力する。
【００７７】
選択信号生成部１４７は、タイミング信号生成部１４２の制御のもと、画像表示に必要な選択信号を生成し、タイミング信号とともに走査線駆動回路１５１に出力する。
共通電源制御部１４３は、共通電源１６３に対して、共通電極２５に基準電位ＧＮＤ（例えば０Ｖ）を供給する命令を出力する。
【００７８】
そして、電気光学パネル１１２では、選択信号を入力された走査線駆動回路１５１と画像信号を入力されたデータ線駆動回路１５２とによって、画素１０の画素電極２４に、画像信号マップＤＭ１に基づく駆動電圧（ローレベル電位ＶＬ、ハイレベル電位ＶＨ、又は基準電位ＧＮＤ）が供給される。また、共通電極２５には基準電位ＧＮＤが入力される。
【００７９】
そうすると、前画像において黒表示されていた画像成分Ｒ１ａ、Ｒ１ｂに属する画素１０を含む領域（画像信号マップＤＭ１で斜線を付した領域）において、画素電極２４にローレベル電位ＶＬが入力される。これにより、画素電極２４が共通電極２５（基準電位ＧＮＤ）に対して相対的に低電位となり、電気光学物質層２６（電気泳動素子）が白表示動作する（図３（ａ）参照）。かかる動作により、画像成分Ｒ１ａ、Ｒ１ｂが背景と同じ白表示とされ、表示部１５０から消去される（第１の画像成分の消去動作；拡張消去動作）。
【００８０】
一方、次画像における画像成分Ｒ２ａ、Ｒ２ｂに対応する領域（画像信号マップＤＭ１の黒塗りの領域）において、画素電極２４にハイレベル電位ＶＨが入力される。これにより、画素電極２４が共通電極２５に対して相対的に高電位となり、電気光学物質層２６が黒表示動作する（図３（ｂ）参照）。かかる動作により、黒色の画像成分Ｒ２ａ、Ｒ２ｂが表示部１５０に表示される（第２の画像成分の表示動作）。
【００８１】
上記の画像成分Ｒ１ａ、Ｒ１ｂ、Ｒ２ａ、Ｒ２ｂ以外の領域（画像信号マップＤＭ１の白抜きの領域）では、画素電極２４に基準電位ＧＮＤが入力され、共通電極２５と同電位に保持される。したがってこれらの画素１０では、電気光学物質層２６は駆動されず、表示は変化しない。
【００８２】
さらに本実施形態の差分駆動ステップＳ１０１では、上記の画像更新動作（画像成分Ｒ１ａ、Ｒ１ｂの消去動作と画像成分Ｒ２ａ、Ｒ２ｂの表示動作）が、３回繰り返し実行される。画素１０の保持容量２２の大きさには限界があり、通常は、１回の充電では電気光学物質層２６を十分に応答させるのに十分なエネルギーを蓄えることができない。そこで、同一の画像信号マップＤＭ１に従って画素１０への画像信号入力（駆動電圧供給）を３回繰り返して実行することで、電気光学物質層２６の駆動時間を長くし、所望のコントラストの表示を得られるようにしている。
本実施形態に係る電気光学パネル１１２では、走査線駆動回路１５１とデータ線駆動回路１５２とにより画素１０への画像信号入力が実行され、全ての走査線Ｇを逐次的に１回選択する期間が１フレーム（１フレーム期間）とされる。したがって、上記の反転消去動作は、３フレームにわたって実行されることになる。
【００８３】
以上の差分駆動ステップＳ１０１によれば、画像成分Ｒ１ａ、Ｒ１ｂを選択的に消去する際に生じる残像を防止しつつ表示を更新することができる。以下、かかる作用効果について、図６，７に示す駆動方法を比較しつつ詳細に説明する。
【００８４】
図７（ａ）、（ｂ）は、対照駆動方法における表示部１５０の表示状態を示す図である。図７（ｃ）〜（ｅ）は、図７（ａ）から図７（ｂ）へ表示状態を移行させる際に使用される画像データ及び画像信号を示す図であり、図７（ｃ）は前画像データ、図７（ｄ）は次画像データ、図７（ｅ）は画像信号マップである。
【００８５】
対照駆動方法において用いられる画像データは、図７（ｃ）に示す前画像データＤ０、及び図７（ｄ）に示す次画像データＤ１である。対照駆動方法では、前画像データＤ０と次画像データＤ１との差分データに基づいて画像信号が生成され、かかる画像信号により画素１０が駆動される。具体的には、図７（ｅ）に示す画像信号マップＤＭ０に従って各々の画素１０に駆動電圧が供給される。
【００８６】
上記の動作により、図７（ａ）に示す画像成分Ｒ１ａ、Ｒ１ｂに属する画素１０では、画素電極２４にローレベル電位ＶＬが入力され、共通電極２５に対して相対的に低電位とされることで、画素１０が白表示動作する。これにより、画像成分Ｒ１ａ、Ｒ１ｂが消去される。
また、図７（ｂ）に示す画像成分Ｒ２ａ、Ｒ２ｂに属する画素１０では、画素電極２４にハイレベル電位ＶＨが入力され、共通電極２５に対して相対的に高電位とされることで、画素１０が黒表示動作する。これにより、画像成分Ｒ２ａ、Ｒ２ｂが表示部１５０に表示される。
なお、画像成分Ｒ１ａ、Ｒ１ｂ、Ｒ２ａ、Ｒ２ｂ以外の領域では、画素１０は駆動されず、表示は変化しない。
【００８７】
以上の対照駆動方法を用いた場合にも、図７（ａ）に示す横長の図形Ｒ１が表示された状態から、図７（ｂ）に示す縦長の図形Ｒ２が表示された状態へ移行させることが可能である。しかしながら、対照駆動方法では、図７（ｂ）に示すように、図形Ｒ１の輪郭に沿ってグレー色の線（残像Ｒ１ｚ）が発生してしまう。これは、画素電極２４と共通電極２５との間に形成される電界が、画素電極２４側よりも共通電極２５側の方が広がった形状になることと、極性を反転させたときの電界の形状が一致しないことが原因であると考えられる。
【００８８】
これに対して本実施形態の駆動方法では、図６（ｆ）に示したように、画像成分Ｒ１ａ、Ｒ１ｂを消去するために駆動する範囲を、画像成分Ｒ１ａ、Ｒ１ｂの輪郭を外側に１画素分拡張した範囲としている。これにより、残像Ｒ１ｚが生じる位置（図形Ｒ１の輪郭からやや外側の位置）を含む領域の画素１０を白表示動作させることができるので、残像Ｒ１ｚの発生を回避することができ、残像のない白色の背景に図形Ｒ２が表示された高品質の表示を得ることができる。
【００８９】
なお、本実施形態では、画像データＤ０ａにおける領域Ｂ０ａ（画像成分Ｒ１ａ、Ｒ１ｂを消去するための領域）を、前画像データＤ０における領域Ｂ０の輪郭を１画素分外側へ拡張した領域として設定したが、これに限られない。すなわち、領域Ｂ０ａは、前画像データＤ０の輪郭を２画素分以上外側へ拡張した領域に設定してもよい。また、画像データＤ０ａにおいて、領域Ｂ０ａの角部に画素データ「０」（黒表示に対応する画素データ）を配置し、前画像データＤ０の角部を斜め方向に拡張してもよい。
また、本実施形態において、白色と黒色とを入れ替えてもよい。すなわち、黒色の背景に白色の図形Ｒ１が表示された状態を第１の表示状態とし、黒色の背景に図形Ｒ２が表示された状態を第２の表示状態とし、差分駆動ステップＳ１０１において、白色の画像成分Ｒ１ａ、Ｒ１ｂを黒色に移行させて消去し、黒色の背景に白色の画像成分Ｒ２ａ、Ｒ２ｂを表示させる態様であってもよい。
以上の構成の変更は、後述する第２実施形態、第３実施形態にも問題なく適用できる。
【００９０】
（第２の実施形態）
次に、本発明の第２の実施形態について、図８及び図９を参照して説明する。なお、以下の説明で参照する図面では、第１実施形態に係る電気光学装置１００と共通の構成要素には同一の符号を付すこととし、それらの詳細な説明も省略する。
【００９１】
図８は、第２実施形態の電気光学装置に備えられた画像信号生成部２４６を示す図である。図９は、第２実施形態の駆動方法における表示部の状態遷移と使用される画像データを示す説明図である。
図８に示す画像信号生成部２４６は、画像データ読出制御部１４５と接続される端子Ｔ１、Ｔ２と、１ライン遅延回路１８０、１８１、１８２と、画素データ保持部１８３と、膨張処理回路１８４と、データ保持回路２９０、２９１と、エンコーダ回路２８９と、を備えている。
【００９２】
画像信号生成部２４６は、３入力１出力のエンコーダ回路２８９を備えている点で第１実施形態に係る画像信号生成部１４６と異なる。
エンコーダ回路２８９の３つの入力端子（入力１〜入力３）のうち、入力１にデータ保持回路２９１のＱ出力が接続され、入力２にデータ保持回路１９４のＱ出力が接続され、入力３には膨張処理回路１８４の出力端子が接続されている。すなわち、入力１には次画像画素データ（画素データｄ１）が入力され、入力２には膨張処理を行わない前画像画素データ（画素データｄ３）が入力され、入力３には輪郭を拡張された膨張画像データに対応する画素データが入力される。
エンコーダ回路２８９は、入力１〜入力３の値の組み合わせに応じた制御信号（画像信号）を出力するように定義される。表２に、エンコーダ回路２８９の定義の一例を示す。
【００９３】
【表２】
2011232718.tif 000004
【００９４】
表２に示すように、エンコーダ回路２８９は、次画像画素データの値（入力１）と、前画像画素データの値（入力２）と、膨張処理回路１８４から出力される画素データ（入力３）との組み合わせに応じて、３種類の値の画像信号（［００］、［０１］、［１０］）を出力する。エンコーダ回路２８９から出力された画像信号は、データ線駆動回路１５２に入力され、データ線駆動回路１５２は画像信号の値に応じて異なる電位（ＶＨ、ＶＬ、ＧＮＤ）を対応するデータ線Ｓに入力する。
これにより、表に示すように、表示部１５０において、画素１０を黒表示から白表示へ移行させる動作と、白表示から黒表示に移行させる動作とを同時に実行することができる。
【００９５】
［駆動方法］
以下、第２実施形態に係る電気光学装置の駆動方法について詳細に説明する。
図９（ａ）、（ｂ）は、対照駆動方法における表示部１５０の表示状態を示す図である。図９（ｃ）〜（ｆ）は、図９（ａ）から図９（ｂ）へ表示状態を移行させる際に使用される画像データ及び画像信号を示す図であり、図９（ｃ）は前画像データ、図９（ｄ）は次画像データ、図９（ｅ）は膨張画像データ、図９（ｆ）は画像信号マップである。
【００９６】
第２実施形態に係る差分駆動ステップＳ２０１においても、図形Ｒ１の消去動作と図形Ｒ２の表示動作が同時に実行される。すなわち、図形Ｒ１のうち図示左側の画像成分Ｒ１ａと右側の画像成分Ｒ１ｂとを消去する動作（画素１０を黒表示から白表示に移行させる動作）と、図形Ｒ２のうち図示上側の画像成分Ｒ２ａと下側の画像成分Ｒ２ｂとを表示する動作（画素１０を白表示から黒表示に移行させる動作）を同時に実行し、画像成分Ｒ１ａ、Ｒ１ｂ、Ｒ２ａ、Ｒ２ｂ以外の領域の画素１０の表示は変化させないようにする。
より詳細には、本実施形態の差分駆動ステップＳ２０１では、図９（ｆ）に示した画像信号マップに従って画素１０に画像信号を入力する差分駆動動作が３フレームにわたって実行される。
【００９７】
差分駆動ステップＳ２０１において、タイミング信号生成部１４２は、画像データ読出制御部１４５に対して、前画像データＤ０及び次画像データＤ１を記憶装置１１１から読み出させる命令を出力する。画像データ読出制御部１４５は、記憶装置制御部１４４を介して記憶装置１１１から前画像データＤ０及び次画像データＤ１を取得し、取得した前画像データＤ０及び次画像データＤ１を、それぞれ１画素分ずつ画像信号生成部２４６の端子Ｔ２、Ｔ１に同期出力する。
【００９８】
画像信号生成部２４６の端子Ｔ１に入力された次画像画素データ（次画像データＤ１）は、１ライン遅延回路１８０及びデータ保持回路２９０、２９１によりタイミングを調整された後、エンコーダ回路２８９の入力１に入力される。
画像信号生成部２４６の端子Ｔ２に入力された前画像画素データは、画素データ保持回路１８３とエンコーダ回路２８９とを接続する配線１７７を介してそのままエンコーダ回路２８９の入力２に入力されるとともに、膨張処理回路１８４により膨張処理を施されてエンコーダ回路２８９の入力３に入力される。
【００９９】
上記の動作により、エンコーダ回路２８９の入力１には図９（ｄ）に示す次画像データＤ１を構成する画素データが順次入力され、入力２には、図９（ｃ）に示す前画像データＤ０を構成する画素データが順次入力され、入力３には、第１実施形態において図６（ｅ）に示した画像データＤ０ａを構成する画素データが順次入力される。
そして、エンコーダ回路２８９は、表２に示した定義に従って、入力１〜３の値の組み合わせに応じた画像信号を出力する。図９（ｆ）は、エンコーダ回路２８９から出力される画像信号を、画素配列に対応させて示す画像信号マップＤＭ２である。画像信号マップＤＭ２において、白抜きの部分は画像信号［００］に対応し、黒塗りの部分は画像信号［１０］に対応し、斜線を付した部分は画像信号［０１］に対応する。
【０１００】
画像信号生成部２４６は、画像信号マップＤＭ２に従う画像信号をタイミング信号とともにデータ線駆動回路１５２に出力する。データ線駆動回路１５２は、画像信号の値に応じた電位をデータ線Ｓを介して画素１０に供給する。本実施形態の場合、データ線駆動回路１５２は、画像信号［０１］に対応する画素１０に対してローレベル電位ＶＬ（例えば−１５Ｖ）を出力し、画像信号［１０］に対応する画素１０に対してハイレベル電位ＶＨ（例えば１５Ｖ）を出力する。また、画像信号［００］に対応する画素１０に対して基準電位ＧＮＤ（例えば０Ｖ）を出力する。
【０１０１】
選択信号生成部１４７は、タイミング信号生成部１４２の制御のもと、画像表示に必要な選択信号を生成し、タイミング信号とともに走査線駆動回路１５１に出力する。共通電源制御部１４３は、共通電源１６３に対して、共通電極２５に基準電位ＧＮＤ（例えば０Ｖ）を供給する命令を出力する。
【０１０２】
そして、電気光学パネル１１２では、選択信号を入力された走査線駆動回路１５１と画像信号を入力されたデータ線駆動回路１５２とによって、画素１０の画素電極２４に、画像信号マップＤＭ２に基づく駆動電圧（ローレベル電位ＶＬ、ハイレベル電位ＶＨ、又は基準電位ＧＮＤ）が供給され、共通電極２５には基準電位ＧＮＤが入力される。
これにより、画像成分Ｒ１ａ、Ｒ１ｂが背景と同じ白表示とされ、表示部１５０から消去される（第１の画像成分の消去動作；拡張消去動作）。また、黒色の画像成分Ｒ２ａ、Ｒ２ｂが表示部１５０に表示される（第２の画像成分の表示動作）。
【０１０３】
図９（ｆ）に示す画像信号マップＤＭ２では、図６（ｆ）に示した画像信号マップＤＭ１と比較して、黒塗りの部分に対応する画像信号［１０］が入力される領域が画像信号マップＤＭ２の中央部側へ広くなっている。これにより、図６（ｂ）に示した白色の線状領域Ｒ２ｗが発生するのを防止することができ、次画像データＤ１に基づく図形Ｒ２を表示部１５０に表示させることができる。
【０１０４】
第１実施形態の駆動方法において、図形Ｒ１と図形Ｒ２とが重なった領域と画像成分Ｒ２ａ、Ｒ２ｂとの間に線状領域Ｒ２ｗが形成されるのは、図６（ｅ）に示した画像データＤ０ａでは、前画像データＤ０の輪郭を一様に１画素幅で拡張していたためである。そのために、本来は画像成分Ｒ２ａ、Ｒ２ｂに属し黒表示動作に対応する画像信号［１０］が入力されるべき画素１０に対して、表示を変化させない場合に対応する画像信号［００］が割り当てられてしまっていた。
【０１０５】
そこで本実施形態では、図９（ｅ）に示す画像データＤ０ｂを用いて画像信号を生成する構成とした。すなわち、前画像データＤ０において白い背景の領域（図形Ｒ１の外側の領域）に位置し、かつ次画像データＤ１において黒表示の図形Ｒ２に含まれる部分（黒表示動作が行われる第２の画像成分）について、拡張消去動作の範囲（前画像データＤ０の領域Ｂ０を１画素分外側に拡張した領域）から除外することとした。
【０１０６】
具体的には、エンコーダ回路２８９において、次画像データＤ１を構成する画素データ（入力１）の値と、前画像データＤ０を構成する画素データ（入力２）の値が異なっており、かつ、次画像データＤ１を構成する画素データ（入力１）の値が、黒表示に対応する画素データ「０」であるときには、膨張画像データである画像データＤ０ａを構成する画素データ（入力２）の値に関わらず、黒表示動作に対応する画像信号［１０］を出力するようにした（表２のＣａｓｅ２−２、２−３）。これにより、第１実施形態の駆動方法のような線状領域Ｒ２ｗの発生を回避し、次画像データＤ１を正確に表示できるようにした。
【０１０７】
なお、本実施形態の差分駆動ステップＳ２０１においても、上記の画像更新動作（画像成分Ｒ１ａ、Ｒ１ｂの消去動作と画像成分Ｒ２ａ、Ｒ２ｂの表示動作）が、３フレームにわたって実行される。これにより、所望のコントラストの表示を得ることができる。
【０１０８】
（第３の実施形態）
次に、本発明の第３の実施形態について、図１０及び図１１を参照して説明する。なお、以下の説明で参照する図面では、第１実施形態及び第２実施形態に係る電気泳動表示装置と共通の構成要素には同一の符号を付すこととし、それらの詳細な説明も省略する。
【０１０９】
図１０は、第３実施形態の電気光学装置に備えられた画像信号生成部３４６を示す図である。図１１は、第３実施形態の駆動方法を示すフローチャートである。なお、第３実施形態における表示部の状態遷移と使用される画像データは、第２実施形態と共通であるから、以下では図９も適宜参照しつつ説明する。
【０１１０】
図１０に示す画像信号生成部３４６は、画像データ読出制御部１４５と接続される端子Ｔ１、Ｔ２と、１ライン遅延回路１８０、１８１、１８２と、画素データ保持部１８３と、膨張処理回路１８４と、データ保持回路２９０、２９１と、第１のエンコーダ回路２８９と、第２のエンコーダ回路３８９と、選択回路３８０（セレクタ）とを備えている。
【０１１１】
画像信号生成部３４６は、第２実施形態の画像信号生成部２４６に対して、２入力１出力の第２のエンコーダ回路３８９と、選択回路３８０とを追加した構成である。
第２のエンコーダ回路３８９の２つの入力端子（入力１、入力２）のうち、入力１にデータ保持回路２９１のＱ出力が接続され、入力２にデータ保持回路１９４のＱ出力が接続されている。すなわち、入力１には次画像画素データ（画素データｄ１）が入力され、入力２には膨張処理を行わない前画像画素データ（画素データｄ３）が入力される。
第１のエンコーダ回路２８９の出力端子は選択回路３８０の入力１に接続され、第２のエンコーダ回路３８９の出力端子は選択回路３８０の入力２に接続されている。選択回路３８０は、外部から入力される制御信号に基づいて入力１、入力２のいずれかを選択して出力するセレクタである。
【０１１２】
第２のエンコーダ回路３８９は、入力１、入力２の値の組み合わせに応じた制御信号（画像信号）を出力するように定義される。表３に、第２のエンコーダ回路３８９の定義の一例を示す。なお、第１のエンコーダ回路２８９の定義は、第２実施形態で表２に示したものと共通である。
【０１１３】
【表３】
2011232718.tif 000005
【０１１４】
表３に示すように、第２のエンコーダ回路３８９は、次画像画素データの値（入力１）と、前画像画素データの値（入力２）のみに基づいて、３種類の値の画像信号（［００］、［０１］、［１０］）を出力する。すなわち、第２のエンコーダ回路３８９から出力される画像信号のマップは、図７（ｅ）に示した画像信号マップＤＭ０に一致する。
したがって、第３実施形態の画像信号生成部３４６によれば、図９（ｆ）に示した画像信号マップＤＭ２に沿った画像信号と、図７（ｅ）に示した画像信号マップＤＭ０に沿った画像信号を、選択回路３８０により切り替えて出力可能である。
【０１１５】
［駆動方法］
以下、第３実施形態に係る電気光学装置の駆動方法について詳細に説明する。
図１１は、第３実施形態に係る差分駆動ステップＳ３０１を示すフローチャートである。本実施形態に係る差分駆動ステップＳ３０１は、消去動作として選択消去動作を実行する第１の差分駆動ステップＳ３１と、消去動作として拡張消去動作を実行する第２の差分駆動ステップＳ３２とを含む。
【０１１６】
本実施形態の駆動方法により電気光学パネル１１２の表示を更新する場合に、まず、ＣＰＵ１０２は、表示部制御装置１１０に対して、次に表示させる画像データ（次画像データ）を含むパネル駆動要求を送信する。
パネル駆動要求を受信した表示部制御装置１１０は、受信した次画像データ（図９（ｄ）に示す次画像データＤ１）を記憶装置１１１に記憶させる。その後、全体制御部１４０によって、予め設定された駆動シーケンスである第１の差分駆動ステップＳ３１、第２の差分駆動ステップＳ３２が順次実行される。
【０１１７】
＜第１の差分駆動ステップ；選択消去動作＞
全体制御部１４０は、パネル駆動要求に基づいて、第１の差分駆動ステップＳ３１を実行するための命令を、タイミング信号生成部１４２及び共通電源制御部１４３に出力する。
第１の差分駆動ステップＳ３１では、図７（ｅ）に示した画像信号マップＤＭ０に従って画素１０に画像信号を入力する差分駆動動作が２フレームにわたって実行される。
【０１１８】
タイミング信号生成部１４２は、全体制御部１４０から入力される命令に基づいて、画像信号生成部３４６の選択回路３８０に、入力２（第２のエンコーダ回路３８９）を選択する制御信号を出力する。
またタイミング信号生成部１４２は、画像データ読出制御部１４５に対して、第１の差分駆動ステップＳ３１で用いる前画像データＤ０及び次画像データＤ１を記憶装置１１１から読み出させる命令を出力する。画像データ読出制御部１４５は、記憶装置制御部１４４を介して記憶装置１１１から前画像データＤ０及び次画像データＤ１を取得し、取得した前画像データＤ０及び次画像データＤ１を、それぞれ１画素分ずつ画像信号生成部３４６の端子Ｔ２、Ｔ１に同期出力する。
【０１１９】
画像信号生成部３４６の端子Ｔ１に入力された次画像画素データ（次画像データＤ１）は、データ保持回路２９１から第２のエンコーダ回路３８９の入力１に入力される。
一方、端子Ｔ２に入力された前画像画素データ（前画像データＤ０）は、画素データ保持部１８３のデータ保持回路１９３から配線１７７を介して第２のエンコーダ回路３８９の入力２に入力される。
【０１２０】
第２のエンコーダ回路３８９は、表３の定義に従って、入力１、２の値の組み合わせに応じた画像信号を出力する。第２のエンコーダ回路３８９から出力される画像信号のマップは、図７（ｅ）に示した画像信号マップＤＭ０と同一である。画像信号マップＤＭ０において、白抜きの部分は画像信号［００］に対応し、黒塗りの部分は画像信号［１０］に対応し、斜線を付した部分は画像信号［０１］に対応する。
【０１２１】
画像信号生成部３４６は、画像信号マップＤＭ０に従う画像信号をタイミング信号とともにデータ線駆動回路１５２に出力する。データ線駆動回路１５２は、画像信号の値に応じた電位をデータ線Ｓを介して画素１０に供給する。
選択信号生成部１４７は、タイミング信号生成部１４２の制御のもと、画像表示に必要な選択信号を生成し、タイミング信号とともに走査線駆動回路１５１に出力する。
共通電源制御部１４３は、共通電源１６３に対して、共通電極２５に基準電位ＧＮＤ（例えば０Ｖ）を供給する命令を出力する。
【０１２２】
そして、電気光学パネル１１２では、選択信号を入力された走査線駆動回路１５１と画像信号を入力されたデータ線駆動回路１５２とによって、画素１０の画素電極２４に、画像信号マップＤＭ０に基づく駆動電圧（ローレベル電位ＶＬ、ハイレベル電位ＶＨ、又は基準電位ＧＮＤ）が供給される。また、共通電極２５には基準電位ＧＮＤが入力される。
【０１２３】
第１の差分駆動ステップＳ３１では、図１１に示すように、上記の差分駆動動作が２フレームにわたって実行される。すなわち、電気光学パネル１１２の表示部１５０に対して、前画像の一部を反転消去しながら次画像の一部を表示させる動作が、２回繰り返して実行される。
【０１２４】
上記の動作により、図７（ａ）に示す画像成分Ｒ１ａ、Ｒ１ｂに属する画素１０が白表示動作し、これにより画像成分Ｒ１ａ、Ｒ１ｂが消去される（第１の画像成分の消去動作；選択消去動作）。また、図７（ｂ）に示す画像成分Ｒ２ａ、Ｒ２ｂに属する画素１０が黒表示動作し、これにより画像成分Ｒ２ａ、Ｒ２ｂが表示部１５０に表示される（第２の画像成分の表示動作）。
画像成分Ｒ１ａ、Ｒ１ｂ、Ｒ２ａ、Ｒ２ｂ以外の領域では、画素１０は駆動されず、表示は変化しない。
なお、第１の差分駆動ステップＳ３１の動作は、図７に示した対照駆動方法と同様であるため、第１の差分駆動ステップＳ３１が終了した時点では、図７（ｂ）に示す残像Ｒ１ｚが図形Ｒ１の輪郭に沿った位置に発生している。
【０１２５】
＜第２の差分駆動ステップ；拡張消去動作＞
次に、全体制御部１４０は、第２の差分駆動ステップＳ３２を実行するための命令を、タイミング信号生成部１４２及び共通電源制御部１４３に出力する。
第２の差分駆動ステップＳ３２では、図９（ｆ）に示した画像信号マップＤＭ２に従って画素１０に画像信号を入力する差分駆動動作が１フレームだけ実行される。
【０１２６】
タイミング信号生成部１４２は、全体制御部１４０から入力される命令に基づいて、画像信号生成部３４６の選択回路３８０に、入力１（第１のエンコーダ回路２８９）を選択する制御信号を出力する。
また、画像データ読出制御部１４５は、タイミング信号生成部１４２からの命令に従って、記憶装置制御部１４４を介して記憶装置１１１から前画像データＤ０及び次画像データＤ１を取得し、取得した前画像データＤ０及び次画像データＤ１を、それぞれ１画素分ずつ画像信号生成部３４６の端子Ｔ２、Ｔ１に同期出力する。
【０１２７】
画像信号生成部３４６の端子Ｔ１に入力された次画像画素データ（次画像データＤ１）は、データ保持回路２９１から第１のエンコーダ回路２８９の入力１に入力される。
一方、端子Ｔ２に入力された前画像画素データ（前画像データＤ０）は、第１のエンコーダ回路２８９の入力２にそのまま入力されるとともに、膨張処理回路１８４により膨張処理を施されて第１のエンコーダ回路２８９の入力３に入力される。
【０１２８】
第１のエンコーダ回路２８９は、表２の定義に従って、入力１〜３の値の組み合わせに応じた画像信号を出力する。第１のエンコーダ回路２８９から出力される画像信号のマップは、図９（ｆ）に示した画像信号マップＤＭ２である。
【０１２９】
画像信号生成部３４６は、画像信号マップＤＭ２に従う画像信号をタイミング信号とともにデータ線駆動回路１５２に出力する。データ線駆動回路１５２は、画像信号の値に応じた電位をデータ線Ｓを介して画素１０に供給する。
選択信号生成部１４７は、タイミング信号生成部１４２の制御のもと、画像表示に必要な選択信号を生成し、タイミング信号とともに走査線駆動回路１５１に出力する。
共通電源制御部１４３は、共通電源１６３に対して、共通電極２５に基準電位ＧＮＤ（例えば０Ｖ）を供給する命令を出力する。
【０１３０】
そして、電気光学パネル１１２では、選択信号を入力された走査線駆動回路１５１と画像信号を入力されたデータ線駆動回路１５２とによって、画素１０の画素電極２４に、画像信号マップＤＭ２に基づく駆動電圧（ローレベル電位ＶＬ、ハイレベル電位ＶＨ、又は基準電位ＧＮＤ）が供給される。また、共通電極２５には基準電位ＧＮＤが入力される。
【０１３１】
これにより、図９（ａ）に示す画像成分Ｒ１ａ、Ｒ１ｂが背景と同じ白表示とされ、表示部１５０から消去される（第１の画像成分の消去動作；拡張消去動作）。また、黒色の画像成分Ｒ２ａ、Ｒ２ｂが表示部１５０に表示される（第２の画像成分の表示動作）。
【０１３２】
第２の差分駆動ステップＳ３２では、図９（ｆ）に示したように、画像成分Ｒ１ａ、Ｒ１ｂに対応する領域を１画素分外側に拡張した領域が消去領域として設定されるため、図７（ｂ）に示した残像Ｒ１ｚが発生する位置を内包する領域の画素１０を白表示動作する。これにより、第１の差分駆動ステップＳ３１において発生する残像Ｒ１ｚが消去される。
【０１３３】
以上に説明した第３実施形態の電気光学装置及びその駆動方法によれば、第１の差分駆動ステップＳ３１，及び第２の差分駆動ステップＳ３２がそれぞれ独立のステップとして設けられているため、各ステップの実行時間をフレーム単位で調整することができる。特に、第２の差分駆動ステップＳ３２の実行時間を細かく制御できることにより、残像Ｒ１ｚの消去に必要十分な実行時間（電気光学物質層２６の駆動時間）を設定することができ、確実に残像を消去することができる。
【０１３４】
また、本実施形態の電気光学装置及びその駆動方法では、第２の差分駆動ステップＳ３２の実行時間（フレーム数）を、第１の差分駆動ステップＳ３１の実行時間（フレーム数）よりも短くしている。これにより、電気光学パネル１１２の信頼性を確保しつつ、残像の確実な消去が可能になる。
【０１３５】
図７（ｂ）に示した残像Ｒ１ｚは薄いグレー色であり、その周辺は白表示されている。第２の差分駆動ステップＳ３２では、このような領域の画素１０をさらに白表示動作させて残像Ｒ１ｚを消去する。このときに、第１の差分駆動ステップＳ３１と同様に複数フレームの消去動作を実行すると、残像Ｒ１ｚを含む領域が周囲よりも白くなるために残像となってしまう場合がある。
また、第２の差分駆動ステップＳ３２では、黒表示動作させていない画素１０に対して白表示動作を繰り返し実行することになるため、電気光学物質層２６の電流履歴のバランスが崩れ、電気光学物質層２６の寿命を短縮させたり、電気光学パネル１１２の信頼性を低下させるおそれがある。
以上の理由から、第２の差分駆動ステップＳ３２は、残像Ｒ１ｚを消去できる範囲で可能な限り短時間に設定することが好ましい。そこで本実施形態では、第２の差分駆動ステップＳ３２を１フレームのみ実行することとし、上記の過書き込みや電流バランスの問題を回避しつつ残像Ｒ１ｚを消去できるようにした。
【０１３６】
なお、本実施形態では、第２の差分駆動ステップＳ３２のフレーム数を少なくすることで電気光学物質層２６への負荷の程度を調整したが、画素１０に入力する駆動電圧のレベルにより電気光学物質層２６への負荷の程度を調整してもよい。例えば第３実施形態では画素電極２４に−１５Ｖのローレベル電位ＶＬを入力することとしたが、これを−５Ｖに変更するとともに、第２の差分駆動ステップＳ３２を複数フレーム実行することとしてもよい。この場合にも、過書き込みや電流バランスの問題を回避しつつ残像Ｒ１ｚを消去することができる。
【０１３７】
また上記各実施形態では、電気光学装置に内蔵された画像信号生成部１４６、２４６、３４６において、差分駆動ステップＳ１０１、Ｓ２０１、Ｓ３０１で用いる画像データＤ０ａや画像データＤ０ｂを生成することとしたが、これらステップで用いる画像データＤ０ａ、Ｄ０ｂを予めＰＣ等で作製し、プログラムメモリ１１３等に保持しておいてもよい。
【０１３８】
（電子機器）
次に、上記実施形態の電気光学装置を、電子機器に適用した場合について説明する。
図１２は、腕時計１０００の正面図である。腕時計１０００は、時計ケース１００２と、時計ケース１００２に連結された一対のバンド１００３とを備えている。
時計ケース１００２の正面には、上記各実施形態の電気光学装置からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【０１３９】
図１３は電子ペーパー１１００の構成を示す斜視図である。電子ペーパー１１００は、上記実施形態の電気光学装置を表示領域１１０１に備えている。電子ペーパー１１００は可撓性を有し、従来の紙と同様の質感及び柔軟性を有する書き換え可能なシートからなる本体１１０２を備えて構成されている。
【０１４０】
図１４は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【０１４１】
以上の腕時計１０００、電子ペーパー１１００、及び電子ノート１２００によれば、本発明に係る電気光学装置が採用されているので、高品質の表示が可能な表示手段を備えた電子機器となる。
なお、上記の電子機器は、本発明に係る電子機器を例示するものであって、本発明の技術範囲を限定するものではない。例えば、携帯電話、携帯用オーディオ機器などの電子機器の表示部にも好適に用いることができる。
【符号の説明】
【０１４２】
１０  画素、２１  選択トランジスタ、２２  保持容量、２４  画素電極、２５  共通電極、２６  電気光学物質層、１００  電気光学装置、１０２  ＣＰＵ、１１０  表示部制御装置（制御部、制御回路）、１１１  記憶装置、１１２  電気光学パネル、１２０  前画像保持部、１２１  次画像保持部、１４０  全体制御部、１４１  画像データ書込制御部、１４２  タイミング信号生成部、１４３  共通電源制御部、１４４  記憶装置制御部、１４５  画像データ読出制御部、１４６，２４６，３４６  画像信号生成部（画像信号生成回路）、１４７  選択信号生成部、１５０  表示部、１５１  走査線駆動回路、１５２  データ線駆動回路、１８０，１８１，１８２  １ライン遅延回路、Ｃ  容量線、Ｇ  走査線、Ｓ  データ線、Ｄ０  前画像データ、Ｄ１  次画像データ、Ｄ０ａ、Ｄ０ｂ  画像データ、Ｒ１ａ，Ｒ１ｂ  第１の画像成分、Ｒ２ａ，Ｒ２ｂ  第２の画像成分、Ｓ１０１，Ｓ２０１，Ｓ３０１  差分駆動ステップ、Ｓ３１  第１の差分駆動ステップ、Ｓ３２  第２の差分駆動ステップ
【図１】
2011232718.tif 000006
【図２】
2011232718.tif 000007
【図３】
2011232718.tif 000008
【図４】
2011232718.tif 000009
【図５】
2011232718.tif 000010
【図６】
2011232718.tif 000011
【図７】
2011232718.tif 000012
【図８】
2011232718.tif 000013
【図９】
2011232718.tif 000014
【図１０】
2011232718.tif 000015
【図１１】
2011232718.tif 000016
【図１２】
2011232718.tif 000017
【図１３】
2011232718.tif 000018
【図１４】
2011232718.tif 000019